(57)【要約】【課題】  広告に関する詳細情報を簡単にその場で取得でき、取得回数や時刻などの履歴情報を記憶し加工して広告効果を計測できるようにすること。【解決手段】  広告情報管理システム１は、広告３近傍に付された場所識別子９と、個々の広告３に付された広告識別子１０と、これらの識別子を入力する入力手段を備えた携帯電話機２と、携帯電話機２と基地局７を介してネットワーク８で接続された広告情報管理サーバ６とから構成されている。携帯電話機２から場所識別子９と広告識別子１０を入力し、広告情報管理サーバ６に対応する情報をリクエストすると、広告情報管理サーバ６がデータベースを検索して広告の内容に関連する情報を提供する。このような情報提供を行なった履歴は、履歴情報データベースに記憶され、必要に応じて加工処理が行なわれる。【選択図】  図１
2005215948.tif 000002
【特許請求の範囲】
【請求項１】
情報端末と、当該情報端末とネットワークを介して接続された広告情報管理サーバとからなる広告情報管理システムであって、
前記情報端末は、
広告媒体に付された広告識別子と、当該広告媒体が設置されている場所に付された場所識別子とを入力する入力手段と、
当該入力手段により入力された前記広告識別子及び前記場所識別子に対応する広告情報の配信を前記広告情報管理サーバに要求する広告情報配信要求手段と、
当該広告情報配信要求手段による配信要求に応じて前記広告情報管理サーバから送信された配信情報を受信する配信情報受信手段と、
当該配信情報受信手段が受信した配信情報を表示する表示手段とを備え、
前記広告情報管理サーバは、
前記場所識別子に対応する前記広告媒体の位置を示す広告位置情報を記憶した広告位置情報記憶手段と、
前記広告識別子及び前記広告位置情報に対応する広告情報を予め記憶した広告情報記憶手段と、
前記情報端末から送信された前記配信要求を受信する端末要求受信手段と、
当該端末要求受信手段が受信した前記場所識別子に対応する位置情報を前記広告位置情報記憶手段から抽出する広告位置情報抽出手段と、
当該広告位置情報抽出手段が抽出した位置情報と前記端末要求受信手段が受信した広告識別子とに基づき前記情報端末に配信する配信情報を前記広告情報記憶手段から抽出する配信情報抽出手段と、
当該配信情報抽出手段が抽出した配信情報を前記情報端末に送信する配信情報提供手段と、
前記端末要求受信手段が受信した前記配信要求及び前記情報端末に送信された配信情報の履歴を記憶する履歴情報記憶手段とを備えたことを特徴とする広告情報管理システム。
【請求項２】
広告媒体及び当該広告媒体の設置場所近傍に設けられた識別子と、当該識別子を読み取りもしくは入力可能な情報端末と、当該情報端末とネットワークを介して接続された広告情報管理サーバとからなる広告情報管理システムであって、
前記識別子は、
広告媒体に設置され、その広告媒体を示す広告識別子と、広告媒体の設置場所近傍に設置され、その設置場所を示す場所識別子とから構成され、その一方は無線タグに記憶され、他方は広告媒体もしくは広告媒体の設置場所近傍に付されており、
前記情報端末は、
前記無線タグに記憶された識別子を読み取る読取手段と、
前記広告識別子もしくは前記場所識別子のうち、前記無線タグに記憶されていない識別子を入力する入力手段と、
当該入力手段により入力表示された識別子及び前記読取手段が読み取った識別子に対応する広告情報の配信を前記広告情報管理サーバに要求する広告情報配信要求手段と、
当該広告情報配信要求手段による配信要求に応じて前記広告情報管理サーバから送信された配信情報を受信する配信情報受信手段と、
当該広告情報受信手段が受信した配信情報を表示する表示手段とを備え、
前記広告情報管理サーバは、
前記場所識別子に対応する前記広告媒体の位置を示す広告位置情報を記憶した広告位置情報記憶手段と、
前記広告識別子及び前記広告位置情報に対応する広告情報を予め記憶した広告情報記憶手段と、
前記情報端末から送信された前記配信要求を受信する端末要求受信手段と、
当該端末要求受信手段が受信した前記場所識別子に対応する位置情報を前記広告位置情報記憶手段から抽出する広告位置情報抽出手段と、
当該広告位置情報抽出手段が抽出した位置情報と前記端末要求受信手段が受信した広告識別子とに基づき前記情報端末に配信する配信情報を前記広告情報記憶手段から抽出する配信情報抽出手段と、
当該配信情報抽出手段が抽出した配信情報を前記情報端末に送信する配信情報提供手段と、
前記端末要求受信手段が受信した前記配信要求及び前記情報端末に送信された配信情報の履歴を記憶する履歴情報記憶手段とを備えたことを特徴とする広告情報管理システム。
【請求項３】
前記広告識別子は、広告媒体に印刷され、前記場所識別子は、前記広告媒体の設置場所近傍に設置された無線タグに記憶されていることを特徴とする請求項２に記載の広告情報管理システム。
【請求項４】
前記広告媒体は、列車やバス等の移動車両中に設置され、
前記広告位置情報記憶手段は、前記移動車両が走行している路線を示す路線情報と前記移動車両の運行時刻を示す運行情報との少なくとも一方を記憶していることを特徴とする請求項１乃至３のいずれかに記載の広告情報管理システム。
【請求項５】
前記履歴情報記憶手段は、前記配信要求のあった時刻、当該配信要求のあった広告識別子及び送信された配信情報を記憶することを特徴とする請求項１乃至４のいずれかに記載の広告情報管理システム。
【請求項６】
前記広告情報管理サーバは、
前記履歴情報記憶手段が記憶した履歴情報を加工する履歴情報加工手段を備えたことを特徴とする請求項１乃至５のいずれかに記載の広告情報管理システム。
【請求項７】
前記広告情報管理サーバは、
前記履歴情報を管理する管理端末からの要求に応じて前記履歴情報記憶手段に記憶された履歴情報を当該管理端末に送信する履歴情報送信手段を備え、
前記管理端末は、
前記広告情報管理サーバに前記履歴情報を要求する履歴情報要求手段と、
当該履歴情報要求手段による要求に応じて前記広告情報管理サーバから送信された履歴情報を受信する履歴情報受信手段と、
当該履歴情報受信手段が受信した履歴情報を加工する履歴情報加工手段とを備えたことを特徴とする請求項１乃至５のいずれかに記載の広告情報管理システム。
【請求項８】
前記履歴情報加工手段は、前記広告識別子毎の配信要求の頻度、又は前記配信情報毎の送信頻度の少なくとも一方を計数することを特徴とする請求項６又は７に記載の広告情報管理システム。
【請求項９】
広告媒体に付された広告識別子と、当該広告媒体が設置されている場所に付された場所識別子とを入力可能な情報端末とネットワークを介して接続された広告情報管理サーバであって、
前記場所識別子に対応する前記広告媒体の位置を示す広告位置情報を記憶した広告位置情報記憶手段と、
前記広告識別子及び前記広告位置情報に対応する広告情報を予め記憶した広告情報記憶手段と、
前記情報端末から送信された前記配信要求を受信する端末要求受信手段と、
当該端末要求受信手段が受信した前記場所識別子に対応する位置情報を前記広告位置情報記憶手段から抽出する広告位置情報抽出手段と、
当該広告位置情報抽出手段が抽出した位置情報と前記端末要求受信手段が受信した広告識別子とに基づき前記情報端末に配信する配信情報を前記広告情報記憶手段から抽出する配信情報抽出手段と、
当該配信情報抽出手段が抽出した配信情報を前記情報端末に送信する配信情報提供手段と、
前記端末要求受信手段が受信した前記配信要求及び前記情報端末に送信された配信情報の履歴を記憶する履歴情報記憶手段とを備えたことを特徴とする広告情報管理サーバ。
【請求項１０】
前記広告媒体は、列車やバス等の移動車両中に設置され、
前記広告位置情報記憶手段は、前記移動車両が走行している路線を示す路線情報と前記移動車両の運行時刻を示す運行情報との少なくとも一方を記憶していることを特徴とする請求項９に記載の広告情報管理サーバ。
【請求項１１】
前記履歴情報記憶手段は、前記配信要求のあった時刻、当該配信要求のあった広告識別子及び送信された配信情報を記憶することを特徴とする請求項９又は１０に記載の広告情報管理サーバ。
【請求項１２】
前記履歴情報記憶手段が記憶した履歴情報を加工する履歴情報加工手段を備えたことを特徴とする請求項９乃至１１のいずれかに記載の広告情報管理サーバ。
【請求項１３】
前記履歴情報加工手段は、前記広告識別子毎の広告情報要求の頻度、又は前記配信情報毎の送信頻度の少なくとも一方を計数することを特徴とする請求項１２に記載の広告情報管理サーバ。
【請求項１４】
前記履歴情報を管理する管理端末からの要求に応じて前記履歴情報記憶手段に記憶された履歴情報を当該管理端末に送信する履歴情報送信手段を備えたことを特徴とする請求項９乃至１１のいずれかに記載の広告情報管理サーバ。
【請求項１５】
広告情報管理サーバとネットワークを介して接続された情報端末であって、
広告媒体に付された広告識別子と、当該広告媒体が設置されている場所に付された場所識別子とを入力する入力手段と、
当該入力手段により入力された前記広告識別子及び前記場所識別子に対応する広告情報の配信を前記広告情報管理サーバに要求する広告情報配信要求手段と、
当該広告情報配信要求手段による配信要求に応じて前記広告情報管理サーバから送信された配信情報を受信する配信情報受信手段と、
当該配信情報受信手段が受信した配信情報を表示する表示手段とを備えたことを特徴とする情報端末。
【請求項１６】
前記広告識別子又は前記場所識別子の一方は識別情報を記憶した無線タグで構成され、
前記無線タグに記憶された識別情報を読み取る読取手段を備え、
前記入力手段は、当該読取手段が読み取った無線タグの識別情報に、無線タグで構成されていない前記広告識別子又は前記場所識別子を加えて入力することを特徴とする請求項１５に記載の情報端末。
【発明の詳細な説明】
【技術分野】
【０００１】
本発明は、吊り広告等の広告の詳細情報をユーザの求めに応じて提供する広告情報管理システム、広告情報管理サーバ及び情報端末に関するものである。
【背景技術】
【０００２】
一般に、駅構内や列車内、街頭等には、さまざまな広告が人目を引くように設置されている。このような広告を見た人は、その対象の商品やサービス等に興味を覚え、詳細を知りたいと思ったり、雑誌や書籍等の広告では内容の一部を閲覧したいという希望を持つことがある。このような消費者の希望に応えるため、近時は広告や掲示物等にインターネットのＵＲＬ（Uniform Resource Locator）が記載され、そのＵＲＬにアクセスすることにより詳細情報が得られるようにしていることも多いが、ＵＲＬを入力する手間がかかり、その場ですぐに詳細情報が得られるものではない。
【０００３】
また、広告主の側は、出している広告を見てどの程度の割合の人が実物を購入したりサービスの提供を受けたりしているのかという効果を測りたいが、広告の場所によって見る人の層も違っており、正確に広告効果を解析したり検証したりすることは非常に困難である。
【０００４】
そこで、非接触で情報の書き込みや読み出しが可能な無線タグ等を詳細情報の記憶媒体として利用し、ここから情報を読み出すことも提案されている。例えば、特許文献１には、広告情報を記憶した非接触式ＩＣカードをポスターにとりつけ、携帯情報端末から非接触式ＩＣカードになされるリクエストに応じて広告情報を携帯情報端末に送信する方法が記載されている。また、特許文献２には、広告媒体に無線タグを添付し、端末装置から送信される電波に応えて記憶されている情報を反射波として送出する情報提供方法が開示されている。
【特許文献１】特開２００２−７２９４１号公報
【特許文献２】特開２００２−２６８５９３号公報
【発明の開示】
【発明が解決しようとする課題】
【０００５】
しかしながら、従来装置においては、広告等の対象物に関する詳細情報や詳細情報へのアクセス回数の計数手段を無線タグ自体に記憶させ、その無線タグを広告媒体に添付し、必要に応じてその無線タグに記憶されたアクセス回数等のデータを読み取ることによってデータの収集を行ったり、広告媒体自体を回収してそのデータを収集するようにするものであるため、比較的高価な無線タグを必要とするのみならず、アクセス回数等の記憶されたデータを収集したり記憶媒体を回収するためにその都度広告媒体の設置位置まで出向いて作業を行う必要があり、アクセス回数等のデータを即座に取得することができないという問題点を有するものであった。
【０００６】
本発明は上記問題点を解決するためになされたものであり、広告に関する詳細情報を簡単にその場で取得でき、かつ、詳細情報等へのアクセス回数等のデータを即座に取得できる広告情報管理システム、広告情報管理サーバ及び管理端末を提供することを目的とする。
【課題を解決するための手段及び作用効果】
【０００７】
上記目的を達成するために、請求項１に記載の発明は、情報端末と、当該情報端末とネットワークを介して接続された広告情報管理サーバとからなる広告情報管理システムであって、前記情報端末は、広告媒体に付された広告識別子と、当該広告媒体が設置されている場所に付された場所識別子とを入力する入力手段と、当該入力手段により入力された前記広告識別子及び前記場所識別子に対応する広告情報の配信を前記広告情報管理サーバに要求する広告情報配信要求手段と、当該広告情報配信要求手段による配信要求に応じて前記広告情報管理サーバから送信された配信情報を受信する配信情報受信手段と、当該配信情報受信手段が受信した配信情報を表示する表示手段とを備え、前記広告情報管理サーバは、前記場所識別子に対応する前記広告媒体の位置を示す広告位置情報を記憶した広告位置情報記憶手段と、前記広告識別子及び前記広告位置情報に対応する広告情報を予め記憶した広告情報記憶手段と、前記情報端末から送信された前記配信要求を受信する端末要求受信手段と、当該端末要求受信手段が受信した前記場所識別子に対応する位置情報を前記広告位置情報記憶手段から抽出する広告位置情報抽出手段と、当該広告位置情報抽出手段が抽出した位置情報と前記端末要求受信手段が受信した広告識別子とに基づき前記情報端末に配信する配信情報を前記広告情報記憶手段から抽出する配信情報抽出手段と、当該配信情報抽出手段が抽出した配信情報を前記情報端末に送信する配信情報提供手段と、前記端末要求受信手段が受信した前記配信要求及び前記情報端末に送信された配信情報の履歴を記憶する履歴情報記憶手段とを備えたことを特徴とする。
【０００８】
上記構成を有する広告情報提供システムでは、情報端末から広告識別子と場所識別子とを入力し、これらに対応する広告情報の配信を広告情報管理サーバに要求する。広告情報管理サーバでは、この配信要求に応じて、場所識別子に対応する広告媒体の位置（広告位置情報）を検索し、さらに、広告識別子と広告位置情報に対応する広告情報を検索して抽出し、情報端末に配信する。また、このような配信要求と配信情報の履歴は広告情報管理サーバに記憶される。したがって、広告媒体には広告識別子と場所識別子を付し、それらの識別子を入力するとともに、広告情報管理サーバにそれらの識別子に対応させて詳細な広告情報を用意しておけば、簡単な構成で利用者にその場で詳細な情報を提供することができ、比較的高価な無線タグを用いなくてもよいため、安価に実現できる。また、広告位置情報に応じて配信情報を変更したり、更新したりすることも簡単に対応可能である。さらに、広告情報を提供した履歴を広告情報管理サーバで記憶しているため、その記憶された履歴情報を即座に利用できる。尚、ここで、広告情報管理サーバは、物理的に１の装置（サーバマシン）で構成される必要はなく、例えば、広告位置情報記憶手段や広告情報記憶手段を有するデータベースサーバと配信情報抽出手段を有するアプリケーションサーバとから構成されていてもよい。
【０００９】
また、請求項２に記載の発明は、広告媒体及び当該広告媒体の設置場所近傍に設けられた識別子と、当該識別子を読み取りもしくは入力可能な情報端末と、当該情報端末とネットワークを介して接続された広告情報管理サーバとからなる広告情報管理システムであって、前記識別子は、広告媒体に設置され、その広告媒体を示す広告識別子と、広告媒体の設置場所近傍に設置され、その設置場所を示す場所識別子とから構成され、その一方は無線タグに記憶され、他方は広告媒体もしくは広告媒体の設置場所近傍に付されており、前記情報端末は、前記無線タグに記憶された識別子を読み取る読取手段と、前記広告識別子もしくは前記場所識別子のうち、前記無線タグに記憶されていない識別子を入力する入力手段と、当該入力手段により入力表示された識別子及び前記読取手段が読み取った識別子に対応する広告情報の配信を前記広告情報管理サーバに要求する広告情報配信要求手段と、当該広告情報配信要求手段による配信要求に応じて前記広告情報管理サーバから送信された配信情報を受信する配信情報受信手段と、当該広告情報受信手段が受信した配信情報を表示する表示手段とを備え、前記広告情報管理サーバは、前記場所識別子に対応する前記広告媒体の位置を示す広告位置情報を記憶した広告位置情報記憶手段と、前記広告識別子及び前記広告位置情報に対応する広告情報を予め記憶した広告情報記憶手段と、前記情報端末から送信された前記配信要求を受信する端末要求受信手段と、当該端末要求受信手段が受信した前記場所識別子に対応する位置情報を前記広告位置情報記憶手段から抽出する広告位置情報抽出手段と、当該広告位置情報抽出手段が抽出した位置情報と前記端末要求受信手段が受信した広告識別子とに基づき前記情報端末に配信する配信情報を前記広告情報記憶手段から抽出する配信情報抽出手段と、当該配信情報抽出手段が抽出した配信情報を前記情報端末に送信する配信情報提供手段と、前記端末要求受信手段が受信した前記配信要求及び前記情報端末に送信された配信情報の履歴を記憶する履歴情報記憶手段とを備えたことを特徴とする。
【００１０】
上記構成を有する広告情報提供システムでは、広告識別子又は場所識別子の一方が無線タグで構成されているので、情報端末で無線タグの情報を読み取るとともに、他方の識別子を入力して、これらに対応する広告情報の配信を広告情報管理サーバに要求する。広告情報管理サーバでは、この配信要求に応じて、場所識別子に対応する広告媒体の位置（広告位置情報）を検索し、さらに、広告識別子と広告位置情報に対応する広告情報を検索して抽出し、情報端末に配信する。また、このような配信要求と配信情報の履歴は広告情報管理サーバに記憶される。したがって、広告媒体及びその近傍には広告識別子と場所識別子を付すだけで、広告情報管理サーバに詳細な広告情報を用意しておけば、簡単な構成で利用者にその場で詳細な情報を提供することができる。また、広告位置情報に応じて配信情報を変更したり更新したりすることも可能である。さらに、広告情報を提供した履歴を広告情報管理サーバで記憶しているため、その履歴情報を利用して広告効果を計測するような用途に簡単に対応可能になる。また、識別子の一方が無線タグで構成されているので、入力の手間が省け、利用者が簡単に詳細情報を入手できる。
【００１１】
また、請求項３に記載の発明は、請求項２に記載の発明の構成に加え、前記広告識別子は、広告媒体に印刷され、前記場所識別子は、前記広告媒体の設置場所近傍に設置された無線タグに記憶されていることを特徴とする。これによれば、広告識別子を印刷によって実現できるため、広告媒体を安価にできるとともに、無線タグは広告位置情報のみを記憶するだけでよいため、比較的安価なもので実現できる。
【００１２】
また、請求項４に記載の発明は、請求項１乃至３のいずれかに記載の発明の構成に加え、前記広告媒体が、列車やバス等の移動車両中に設置され、前記広告位置情報記憶手段は、前記移動車両が走行している路線を示す路線情報と前記移動車両の運行時刻を示す運行情報との少なくとも一方を記憶することを特徴とする。これによれば、識別子が付された広告媒体が移動車両中に設置されている場合でも、広告情報管理サーバに移動車両の路線情報や運行情報を記憶させておけば、各広告媒体の位置を常に把握することができ、例えば、特定の駅近辺では特定の広告情報を提供できるようにするため、位置情報に基づいた広告情報を配信することが可能である。
【００１３】
また、請求項５に記載の発明は、請求項１乃至４のいずれかに記載の発明の構成に加え、前記履歴情報記憶手段が、前記配信要求のあった時刻、当該配信要求のあった広告識別子及び送信された配信情報を記憶することを特徴とする。これによれば、広告情報管理サーバに履歴情報として配信要求のあった時刻と当該広告情報要求のあった無線タグの識別情報を記憶しておけば、どの広告情報にいつアクセスがあったかという記録が残るので、これを解析して広告効果の測定などに利用可能である。
【００１４】
また、請求項６に記載の発明は、請求項１乃至５のいずれかに記載の発明の構成に加え、前記広告情報管理サーバが、前記履歴情報記憶手段が記憶した履歴情報を加工する履歴情報加工手段を備えたことを特徴とする。これによれば、広告情報管理サーバに履歴情報加工手段を備えたので、記憶した履歴情報を広告情報管理サーバにおいて加工し、種々の要望に対応した広告効果の検証を実施できる。
【００１５】
また、請求項７に記載の発明は、請求項１乃至５のいずれかに記載の発明の構成に加え、前記広告情報管理サーバが、前記履歴情報を管理する管理端末からの要求に応じて前記履歴情報記憶手段に記憶された履歴情報を当該管理端末に送信する履歴情報送信手段を備え、前記管理端末は、前記広告情報管理サーバに前記履歴情報を要求する履歴情報要求手段と、当該履歴情報要求手段による要求に応じて前記広告情報管理サーバから送信された履歴情報を受信する履歴情報受信手段と、当該履歴情報受信手段が受信した履歴情報を加工する履歴情報加工手段を備えたことを特徴とする。このように、広告情報管理サーバとは別の管理端末に備えた履歴情報加工手段にて履歴情報を加工するようにすれば、例えば、その管理端末から広告主自身が自由に履歴情報を加工して広告効果の解析、検証などを即座に実施できる。
【００１６】
また、請求項８に記載の発明は、請求項６又は７に記載の発明の構成に加え、前記履歴情報加工手段が、前記広告識別子毎の配信要求の頻度、又は前記配信情報毎の送信頻度の少なくとも一方を計数することを特徴とする。このように、履歴情報加工手段が、広告識別子毎の配信要求の頻度や配信情報毎の送信頻度を計数して履歴情報を加工すれば、広告の設置場所による広告効果や配信情報毎の広告効果を解析できる。
【００１７】
また、請求項９に記載の発明は、広告媒体に付された広告識別子と、当該広告媒体が設置されている場所に付された場所識別子とを入力可能な情報端末とネットワークを介して接続された広告情報管理サーバであって、前記場所識別子に対応する前記広告媒体の位置を示す広告位置情報を記憶した広告位置情報記憶手段と、前記広告識別子及び前記広告位置情報に対応する広告情報を予め記憶した広告情報記憶手段と、前記情報端末から送信された前記配信要求を受信する端末要求受信手段と、当該端末要求受信手段が受信した前記場所識別子に対応する位置情報を前記広告位置情報記憶手段から抽出する広告位置情報抽出手段と、当該広告位置情報抽出手段が抽出した位置情報と前記端末要求受信手段が受信した広告識別子とに基づき前記情報端末に配信する配信情報を前記広告情報記憶手段から抽出する配信情報抽出手段と、当該配信情報抽出手段が抽出した配信情報を前記情報端末に送信する配信情報提供手段と、前記端末要求受信手段が受信した前記配信要求及び前記情報端末に送信された配信情報の履歴を記憶する履歴情報記憶手段とを備えたことを特徴とする。
【００１８】
上記構成を有する広告情報管理サーバでは、情報端末からの配信要求に応えて、場所識別子に対応する広告媒体の位置（広告位置情報）を検索し、さらに、広告識別子と広告位置情報に対応する広告情報を検索して抽出し、情報端末に配信する。また、このような配信要求と配信情報の履歴も記憶する。したがって、広告媒体には広告識別子と場所識別子を付し、それらの識別子を入力するとともに、広告情報管理サーバに詳細な広告情報を用意しておけば、簡単な構成で利用者にその場で詳細な情報を提供することができる。また、広告位置情報に応じて配信情報を変更したり、更新したりすることも簡単に対応可能である。さらに、広告情報を提供した履歴を広告情報管理サーバで記憶しているため、その記憶された履歴情報を即座に利用できる。尚、ここで、広告情報管理サーバは、物理的に１の装置（サーバマシン）で構成される必要はなく、例えば、広告位置情報記憶手段や広告情報記憶手段を有するデータベースサーバと配信情報抽出手段を有するアプリケーションサーバとから構成されていてもよい。
【００１９】
また、請求項１０に記載の発明は、請求項９に記載の発明の構成に加え、前記広告媒体が列車やバス等の移動車両中に設置され、前記広告位置情報記憶手段が、前記移動車両が走行している路線を示す路線情報と前記移動車両の運行時刻を示す運行情報との少なくとも一方を記憶することを特徴とする。このように、識別子が付された広告媒体が移動車両中に設置されている場合でも、広告情報管理サーバに移動車両の路線情報や運行情報を記憶させておけば、各広告媒体の位置を常に把握することができ、例えば、特定の駅近辺では特定の広告情報を提供できるようにするため、位置情報に基づいた広告情報を配信することが可能である。
【００２０】
また、請求項１１に記載の発明は、請求項９又は１０に記載の発明の構成に加え、前記履歴情報記憶手段が、前記配信要求のあった時刻、当該配信要求のあった広告識別子及び送信された配信情報を記憶することを特徴とする。このように、広告情報管理サーバに履歴情報として配信要求のあった時刻と当該広告情報要求のあった無線タグの識別情報を記憶しておけば、どの広告情報にいつアクセスがあったかという記録が残るので、これを解析して広告効果の測定などに利用可能である。
【００２１】
また、請求項１２に記載の発明は、請求項９乃至１１のいずれかに記載の発明の構成に加え、前記履歴情報記憶手段が記憶した履歴情報を加工する履歴情報加工手段を備えたことを特徴とする。このように、広告情報管理サーバに履歴情報加工手段を備えれば、記憶した履歴情報を広告情報管理サーバにおいて加工し、広告効果の測定などを実施できる。
【００２２】
また、請求項１３に記載の発明は、請求項１２に記載の発明の構成に加え、前記履歴情報加工手段が、前記広告識別子毎の広告情報要求の頻度、又は前記配信情報毎の送信頻度の少なくとも一方を計数することを特徴とする。このように、履歴情報加工手段が、広告識別子毎の配信要求の頻度や配信情報毎の送信頻度を計数して履歴情報を加工すれば、広告の設置場所による広告効果や配信情報毎の広告効果を解析できる。
【００２３】
また、請求項１４に記載の発明は、請求項９乃至１１のいずれかに記載の発明の構成に加え、前記履歴情報を管理する管理端末からの要求に応じて前記履歴情報記憶手段に記憶された履歴情報を当該管理端末に送信する履歴情報送信手段を備えたことを特徴とする。このように、履歴情報加工手段を有する管理端末に広告情報管理サーバから履歴情報を送信するようにすれば、その管理端末にて履歴情報が加工でき、例えば広告主自身が自由に履歴情報を加工して広告効果の解析・検証などを即座に実施できる。
【００２４】
また、請求項１５に記載の発明は、広告情報管理サーバとネットワークを介して接続された情報端末であって、広告媒体に付された広告識別子と、当該広告媒体が設置されている場所に付された場所識別子とを入力する入力手段と、当該入力手段により入力された前記広告識別子及び前記場所識別子に対応する広告情報の配信を前記広告情報管理サーバに要求する広告情報配信要求手段と、当該広告情報配信要求手段による配信要求に応じて前記広告情報管理サーバから送信された配信情報を受信する配信情報受信手段と、当該配信情報受信手段が受信した配信情報を表示する表示手段とを備えたことを特徴とする。
【００２５】
上記構成の情報端末では、広告識別子と場所識別子を入力し、これらに対応する広告情報の配信を広告情報管理サーバに要求する。そして、配信された広告情報を表示する。従って、情報端末の利用者は、その場で詳細な関連情報を入手することができる。
【００２６】
また、請求項１６に記載の発明は、請求項１５に記載の発明の構成に加え、前記広告識別子又は前記場所識別子の一方が識別情報を記憶した無線タグで構成され、前記無線タグに記憶された識別情報を読み取る読取手段を備え、前記入力手段が、当該読取手段が読み取った無線タグの識別情報に、無線タグで構成されていない前記広告識別子又は前記場所識別子を加えて入力するようにしてもよい。このように、広告識別子又は場所識別子の少なくとも一方を無線タグで構成し、その無線タグに記憶された情報を読み取るようにすれば、さらに入力の手間が省け、簡単に詳細情報を入手することができる。
【発明を実施するための最良の形態】
【００２７】
次に本発明を実施するための最良の形態について図面を参照して説明する。まず、本発明を適用した第一の実施の形態の広告情報管理システム１の構成について説明する。図１は第一の実施の形態の広告情報管理システム１の全体概念図である。図２は、広告情報管理システム１を構成する携帯電話機２の外観図である。
【００２８】
図１に示すように、広告情報管理システム１は、広告３近傍に付された場所識別子９と、個々の広告３に付された広告識別子１０と、これらの識別子を入力する入力手段を備えた情報端末である携帯電話機２と、携帯電話機２と基地局７を介してネットワーク８で接続された広告情報管理サーバ６とから構成されている。
【００２９】
広告３は、例えば電車やバスの車内などの移動車両中にクリップなどに挟み込まれる形態で設置されている。広告３が設置されるクリップ部からなる広告枠１３には、数字やアルファベット等の文字情報が目視可能に刻印された場所識別子９が付されている。また、各広告３には、場所識別子９と同様に数字やアルファベット等の文字情報が目視可能に印刷された広告識別子１０が付されている。場所識別子９は、広告３のある場所を識別するものであり、また、広告識別子１０は、その付された広告３を識別するものである。そして、同一の広告３に対しては同一の広告識別子１０が付されている。尚、広告３は、つり下げられる形状に限らず、車両の壁面やドアに貼られているものであってもよいし、駅の構内や街頭に掲示されているものでもよい。
【００３０】
一方、広告情報管理サーバ６は、ネットワーク８を介して携帯電話機２の基地局７に接続しており、携帯電話機２からのリクエストに従って場所識別子９と広告識別子１０に対応する広告情報をデータベースから検索して携帯電話機２に送信する。
【００３１】
図２に示すように、携帯電話機２は、送話用のマイク５１と、受話用のスピーカ５２と、表示用の液晶である表示手段としてのＬＣＤ５３と、ボタンスイッチを備えたキー５４と、基地局７との間で電波を授受して無線通信を実行するアンテナ５５とを備えている。さらに、携帯電話機２は、キー５４からの入力内容等を選択指示するための決定ボタン５６と、処理メニューを表示させるためのメニューボタン５７と、各種処理を中断指示するためのキャンセルボタン５８とを備えている。
【００３２】
次に、図３及び図４を参照して、広告情報管理システム１を構成する携帯電話機２及び広告情報管理サーバ６の電気的構成について説明する。図３は、携帯電話機２の電気的構成を示すブロック図である。図４は、広告情報管理サーバ６の電気的構成を示すブロック図である。なお、図２に示すものと同一の構成には同一の符号を使用し、その詳細な説明は省略してある。
【００３３】
図３に示すように、携帯電話機２は、携帯電話機２全体の動作の制御を司るＣＰＵ１０１と、ＣＰＵ１０１によって実行されるプログラムやＢＩＯＳ等を記憶するＲＯＭ１０２と、各種のデータを一時的に記憶するＲＡＭ１０３とを備えている。
【００３４】
また、携帯電話機２は、マイク５１から入力された音声信号をデジタル化したりデジタルの音声データをアナログ化してスピーカ５２から出力するための音声コーデック部１０４と、音声コーデック部１０４で処理された音声データを転送するために通信方式に応じた手続き処理を行うベースバンドコントローラ１０５と、アンテナ５５を介して送出する信号を変調したりアンテナ５５を介して受信した高周波信号を復調する無線コントローラ１０６と、キー５４，決定ボタン５６，メニューボタン５７，キャンセルボタン５８からの入力およびＬＣＤ５３への出力を制御するユーザインタフェイスコントローラ１０７と、所定の時間をカウントするタイマ１及びタイマ２からなるタイマ機能及び日時を計測するカレンダ機能を備える日時処理部１０８と、各種の外部機器と有効に接続するための入出力インタフェイスである拡張Ｉ／Ｏインタフェイス１０９と、携帯電話機２の全体の回路に電力を供給する電源１１０とを備えている。
【００３５】
次に、図４に示すように、広告情報管理サーバ６は、周知のワークステーションの構成からなり、広告情報管理サーバ６の制御を司るＣＰＵ２０が設けられ、ＣＰＵ２０には、ＢＩＯＳ等を記憶したＲＯＭ２１と、各種のデータを一時的に記憶するＲＡＭ２２と、データの受け渡しの仲介を行うＩ／Ｏインタフェイス４０とが接続されている。Ｉ／Ｏインタフェイス４０には、ネットワーク８を介して携帯電話機２の基地局７と接続するための通信制御を行う通信制御インタフェイス４１が接続されている。また、Ｉ／Ｏインタフェイス４０には、文字その他を表示するディスプレイ２４を制御するビデオコントローラ２３と、入力装置であるキーボード２６を制御するキーコントローラ２５と、ＣＤ−ＲＯＭ２９を読み込むためのＣＤ−ＲＯＭドライブ２８と、ハードディスク装置３０とが接続されている。ハードディスク装置３０は、ＣＰＵ２０で実行されるプログラムを記憶したプログラム記憶エリア３１、場所識別子９に対応する位置情報を記憶した位置情報データベース３２，位置情報と広告識別子１０に対応する広告の詳細情報を記憶した広告情報データベース３６，携帯電話機２からの配信要求履歴を記憶した履歴情報データベース３８が設けられている。なお、位置情報データベース３２が本発明の広告位置情報記憶手段に、広告情報データベース３６が本発明の広告情報記憶手段に、履歴情報データベース３８が本発明の履歴情報記憶手段に相当する。なお、広告情報管理サーバ６は、必ずしも物理的に１個の装置で構成されている必要はなく、たとえば、位置情報データベース３２や広告情報データベース３６を記憶した別のサーバマシンと接続して広告情報管理サーバ６を構成するようにしてもよい。
【００３６】
次に、図５〜図７を参照して、広告情報管理サーバ６のハードディスク装置３０に設けられている各種データベースのデータ構成について説明する。図５は、位置情報データベース３２のデータ構成の概念図である。図６は、広告情報データベース３６のデータ構成の概念図である。図７は、履歴情報データベース３８のデータ構成の概念図である。
【００３７】
図５に示すように、位置情報データベース３２は、場所識別子９の付された広告枠１３等の媒体の現在位置を特定するための位置情報レコードの集合として構成されており、場所識別子９の内容を示す場所ＩＤ３２１，設置されている路線の名称を示す路線名３２２，設置されている車両を特定する車両名３２３，走行時間３２４，走行時間に応じた現在位置を示す現在位置３２５の各項目が登録されている。
【００３８】
次に、図６に示すように、広告情報データベース３６には、広告識別子１０に対応する広告情報レコードの集合体として構成され、個々のレコード（行）は、広告ＩＤ３６１，広告名３６２，広告時間３６３，広告位置３６４，詳細情報３６５の各項目から構成されている。広告ＩＤ３６１には、広告３に付された広告識別子１０に対応するＩＤが記憶され、広告名３６２には広告ＩＤに対応する広告名が記憶されている。広告時間３６３には、広告詳細情報をリクエストされたときの時刻によって提供する詳細情報を変化させる場合に、条件となる提供時間が記憶される。例えば、全ての時間に提供する詳細情報にはＡＬＬが、午前中提供する詳細情報にはＡＭが、午後に提供する詳細情報にはＰＭが記憶されている。広告位置３６４には、広告詳細情報をリクエストされた対象の広告３の現在位置によって提供する詳細情報を変化させる場合に、条件となる位置が記憶される。例えば、全ての場所にある広告について提供する詳細情報には「ＡＬＬ」が、広告が都内にある場合について提供する詳細情報には「都内」が記憶される。詳細情報３６５には、携帯電話機２に配信する広告詳細情報の内容が記憶されている。広告時間や広告位置によって配信情報が選択されるので、広告時間、広告位置に対応させて詳細情報が分割して記憶されている。ここで、情報１〜７は、好適には、沿線の店舗の紹介、売り出し広告情報、タイムサービス情報等から構成されている。
【００３９】
次に、図７に示す履歴情報データベース３８は、携帯電話機２から回線接続要求があった場合に、要求された処理を行ない、全ての処理が終了して回線を切断した後に、履歴を記憶しておくものである。履歴情報データベース３８には、回線接続要求があった日時であるアクセス日時３８１、送信されてきた場所識別子９を示す場所ＩＤ情報３８２、広告識別子１０を示す広告ＩＤ情報３８３，携帯電話機２に送信された配信情報３８４の各項目が記憶されるようになっている。
【００４０】
次に、図８〜図１３を参照して、広告情報管理システム１の動作を説明する。まず、図８及び図９を用いて携帯電話機２の動作について説明する。図８は、携帯電話機２における広告情報取得に関するメインルーチンのフローチャートである。図９は、携帯電話機２のＬＣＤ５３に表示されるＩＤ入力画面の一例を示す図である。
【００４１】
図８に示すように、携帯電話機２において、まず、識別子(ＩＤ)の入力が操作者により指示されたか否かを判断する（Ｓ１）。ＩＤの入力でなければ（Ｓ１：ＮＯ）、携帯電話機２の他の処理を実行し（Ｓ３）、処理を終了する。ＩＤの入力の場合は（Ｓ１：ＹＥＳ）、図９に示すようなＩＤ入力画面を表示し、操作者に場所識別子９と広告識別子１０を目視により読み取らせ、それぞれ場所ＩＤと広告ＩＤの欄に入力するように促す（Ｓ５）。そして、入力が完了したかを判断し（Ｓ７）、完了していなければ（Ｓ７：ＮＯ）、Ｓ５に戻って引き続き入力を受け付ける。入力が完了したら（Ｓ７：ＹＥＳ）、広告情報管理サーバ６に接続する（Ｓ９）。そして、広告情報管理サーバ６に対して入力された場所ＩＤ情報と広告ＩＤ情報とを送信する（Ｓ１１）。これが、広告情報管理サーバ６に対する詳細情報の配信要求となる。
【００４２】
次に、広告情報管理サーバ６から応答があったか否かを判断する（Ｓ１３）。応答がない場合には（Ｓ１３：ＮＯ）、所定の時間を経過してタイムアウトになったか否かをさらに判断し（Ｓ１５）、タイムアウトでなければ（Ｓ１５：ＮＯ）、Ｓ１３に戻って再び応答がないか否かを判断する。タイムアウトの場合には（Ｓ１５：ＹＥＳ）、Ｓ１１に戻って再び広告情報管理サーバ６に場所ＩＤ情報と広告ＩＤ情報とを送信する。
【００４３】
広告情報管理サーバ６から応答があった場合には（Ｓ１３：ＹＥＳ）、広告情報管理サーバ６が広告情報データベース３６から検索して送信してくる配信情報を受信する（Ｓ１７）。そして、受信した配信情報をＲＡＭ１０３に格納する（Ｓ１９）。次に、受信し格納した配信情報をＬＣＤ５３に表示する（Ｓ２１）。以上で詳細情報の取得処理が終了したので、携帯電話機２のメインルーチンを終了する。
【００４４】
次に、図１０〜図１３を参照して、広告情報管理サーバ６の動作について説明する。図１０は、広告情報管理サーバ６の配信情報提供処理のメインルーチンのフローチャートである。図１１は、図１０のＳ５９で行なう位置情報検索処理のサブルーチンのフローチャートである。図１２は、図１０のＳ６１で行なう配信情報抽出処理のサブルーチンのフローチャートである。図１３は、図１０のＳ７１で行なう履歴情報加工処理のサブルーチンのフローチャートである。
【００４５】
図１０に示すように、まず、携帯電話機２から接続要求があったか否かを判断する（Ｓ５１）。接続要求がない場合は（Ｓ５１：ＮＯ）、Ｓ６９に進み、記憶されている履歴情報の加工処理を実行するか否かを判断する。接続要求があった場合には（Ｓ５１：ＹＥＳ）、回線接続処理を行なう（Ｓ５３）。そして、携帯電話機２から送信されてきた情報が、配信要求か否かを判断する（Ｓ５５）。配信要求でなければ（Ｓ５５：ＮＯ）、回線を切断する（Ｓ６５）。
【００４６】
配信要求の場合は（Ｓ５５：ＹＥＳ）、携帯電話機２から場所ＩＤ情報と広告ＩＤ情報とが送信されてきているので、これを受信する（Ｓ５７）。次に、受信した場所ＩＤに対応する広告の現在位置を位置情報データベース３２から検索する位置情報検索処理を行なう（Ｓ５９）。位置情報検索処理の詳細は、図１１を参照して後述する。
【００４７】
位置情報検索処理（Ｓ５９）により、広告３の現在位置が把握できたら、次に、Ｓ５７で受信した広告ＩＤ情報とこの現在位置に対応する広告の詳細情報を取り出す配信情報抽出処理を実行する（Ｓ６１）。配信情報抽出処理の詳細は、図１２を参照して後述する。
【００４８】
配信情報抽出処理により（Ｓ６１）、携帯電話機２に送信すべき配信情報が取り出されたら、携帯電話機２に配信情報を送信する（Ｓ６３）。そして、携帯電話機２との回線を切断する（Ｓ６５）。次に、以上の処理の対象となった場所ＩＤ情報、広告ＩＤ情報、アクセス時刻、配信情報を履歴情報データベース３８に記憶する（Ｓ６７）。
【００４９】
次に、履歴情報データベース３８に記憶されている履歴情報加工処理を実行するか否かを判断する（Ｓ６９）。履歴情報加工処理を行なわない場合は（Ｓ６９：ＮＯ）、Ｓ５１に戻り、携帯電話機２からの接続要求を待つ。履歴情報加工処理を行なう場合は（Ｓ６９：ＹＥＳ）、履歴情報加工処理を実行する（Ｓ７１）。履歴情報加工処理の詳細は、図１３を参照して後述する。
【００５０】
履歴情報加工処理（Ｓ７１）が終了すると、Ｓ５１に戻って携帯電話機２からの接続要求を待つ。
【００５１】
次に、図１０のＳ５９で行う位置情報検索処理について、図１１を参照して説明する。まず、位置情報データベース３２（図５参照）をオープンする（Ｓ８１）。以下では、最初のレコードから順に１レコードずつ処理を行なう。まず、位置情報の１レコード分を読み出す（Ｓ８３）。次に、携帯電話機２から受信した（図１０，Ｓ５７）場所ＩＤ情報が、Ｓ８３で読み出したレコードの場所ＩＤと一致しているか否かを判断する（Ｓ８５）。一致していない場合には（Ｓ８５：ＮＯ）、Ｓ８３に戻って次のレコードの読み出しを行なう。
【００５２】
場所ＩＤ情報が、Ｓ４０３で読み出したレコードの場所ＩＤと一致した場合には（Ｓ８５：ＹＥＳ）、そのレコードの位置情報が送信されてきた場所識別子９に対応するのものであるから、次に、そのレコードから走行時間項目３２４の内容を取り出す（Ｓ８７）。そして、携帯電話機２から配信要求がなされたアクセス時刻がその走行時間の範囲内に含まれているか否かを判断する（Ｓ８９）。アクセス時刻がその走行時間の範囲内に含まれていなければ（Ｓ８９：ＮＯ）、Ｓ８７に戻り、次のレコードの走行時間項目３２４の内容を取り出す。アクセス時刻がその走行時間の範囲内に含まれていれば（Ｓ８９：ＹＥＳ）、そのレコードの位置項目３２５の内容をＲＡＭ２２に格納する（Ｓ９１）。そして、位置情報データベース３２をクローズし（Ｓ９３）、図１０の広告情報管理サーバ６のメインルーチンに戻る。例えば、場所ＩＤ情報が「００１」で、アクセス時刻が１０時３０分とすると、最初のレコードで場所ＩＤは一致するが（Ｓ８５：ＹＥＳ）、取り出された走行時間「９：００〜１０：００」にはアクセス時刻である１０時３０分は含まれないので（Ｓ８９：ＮＯ）、次のレコードに移る。次のレコードでは、場所ＩＤが一致し（Ｓ８５：ＹＥＳ）、アクセス時刻も走行時間である「１０：００〜１１：００」に含まれるので（Ｓ８９：ＹＥＳ）、位置項目内容である「神奈川」が対象広告の現在位置として格納される（Ｓ９１）。
【００５３】
次に、図１０のＳ６１で行う配信情報抽出処理の詳細について、図１２を参照して説明する。まず、広告詳細情報データベース３６（図６参照）をオープンする（Ｓ１０１）。以下では、最初のレコードから順に１レコードずつ処理を行なう。まず、広告情報の１レコード分を読み出す（Ｓ１０３）。次に、広告情報レコードが終わりか、すなわち、Ｓ１０３で読み出しが行えなかったか否かを判断する（Ｓ１０５）。広告情報レコードが終わりの場合には(Ｓ１０５：ＹＥＳ)、広告詳細情報データベース３６をクローズする（Ｓ１０７）。そして、図１０の広告情報管理サーバ６のメインルーチンに戻る。
【００５４】
広告情報レコードが終わりでない場合には（Ｓ１０５：ＮＯ）、携帯電話機２から受信した（図１０，Ｓ５７）広告ＩＤ情報が、Ｓ１０３で読み出したレコードの広告ＩＤと一致しているか否かを判断する（Ｓ１０９）。一致していない場合には（Ｓ１０９：ＮＯ）、Ｓ１０３に戻って次のレコードの読み出しを行なう。
【００５５】
広告ＩＤ情報が、Ｓ３８１で読み出したレコードの広告ＩＤと一致した場合には（Ｓ１０９：ＹＥＳ）、そのレコードの広告情報がリクエストされている広告のものであるから、まず、読み出されているレコードから広告名を取り出す（Ｓ１１１）。次に、読み出されているレコードから広告時間を取り出す（Ｓ１１３）。例えば、図６の広告情報データベース３６の例では、１回目の処理では、広告時間「ＡＬＬ」が読み込まれる。次に、このレコードが広告時間項目の終わりのレコードか否かを判断する（Ｓ１１５）。
【００５６】
広告時間項目の終わりでなければ（Ｓ１１５：ＮＯ）、携帯電話機２から配信要求のあったアクセス時刻がＳ１１３で読み出した広告時間の条件内に入っているか否かを判断する（Ｓ１１７）。例えば、先の例では、読み出した広告時間は「ＡＬＬ」なので、現在時刻にかかわらず、広告時間内であるから（Ｓ１１７：ＹＥＳ）、現在処理中のレコードにある詳細情報項目３６５の情報を配信情報として記憶する（Ｓ１１９）。先の例では、情報１が記憶される。そして、Ｓ１１３に戻る。
【００５７】
２回目の処理では、次行のレコードの広告時間「ＡＭ」を読み出し（Ｓ１１３）、まだ広告時間項目の終わりではないので（Ｓ１１５：ＮＯ）、アクセス時刻と読み出した広告時間「ＡＭ」を比較する。例えば、アクセス時刻が１０時３０分とすると、時間内に入っているので（Ｓ１１７：ＹＥＳ）、このレコードの詳細情報項目３６５の内容を配信情報に追加して記憶する（Ｓ１１９）。すなわち、情報１の次に情報２が追加される。そして、Ｓ１１３に戻る。
【００５８】
３回目の処理では、次行のレコードの広告時間「ＰＭ」を読み出し（Ｓ１１３）、まだ広告時間項目の終わりではないので（Ｓ１１５：ＮＯ）、アクセス時刻１０時３０分と読み出した広告時間「ＰＭ」を比較し、時間内に入っていないので（Ｓ１１７：ＮＯ）、そのままＳ１１３に戻る。
【００５９】
４回目の処理では、次行のレコードには広告時間に記憶された情報がないので読み出しが行えず（Ｓ１１３）、広告時間項目の終わりとなったので（Ｓ１１５：ＹＥＳ）、次に、現在処理中のレコードから広告位置を取り出す（Ｓ１２１）。図６の例では、広告位置「ＡＬＬ」が読み出される。
【００６０】
次に、広告位置項目の終わりか否かを判断する（Ｓ１２３）。広告位置項目の終わりでなければ（Ｓ１２３：ＮＯ）、位置情報検索処理で取り出され、ＲＡＭ２２に格納した広告３の現在位置がＳ１２１で読み出した広告位置条件を満たしているか否かを判断する（Ｓ１２５）。現在処理中のレコードは、広告位置条件は「ＡＬＬ」なので、設置位置にかかわらず、条件を満たしているので（Ｓ１２５：ＹＥＳ）、現在処理中のレコードにある詳細情報項目３６５の情報を送信すべき配信情報としてＲＡＭ２２に追加して記憶する（Ｓ１２７）。ここでは、情報４が記憶される。そして、Ｓ１２１に戻る。
【００６１】
２回目の処理では、次行のレコードの広告位置「千葉」を読み出し（Ｓ１２１）、まだ広告位置項目の終わりではないので（Ｓ１２３：ＮＯ）、ＲＡＭ２２に格納されている広告３の現在位置と読み出した広告位置条件「千葉」を比較し、先の例では、ＲＡＭ２２に格納されている現在位置は神奈川なので、条件を満たしていないので（Ｓ１２５：ＮＯ）、そのままＳ１２１に戻る。
【００６２】
３回目の処理では、次行のレコードの広告位置「神奈川」を読み出し（Ｓ１２１）、まだ広告位置項目の終わりではないので（Ｓ１２３：ＮＯ）、ＲＡＭ２２に格納されている広告３の現在位置と読み出した広告位置条件「神奈川」を比較し、先の例では、ＲＡＭ２２に格納されている現在位置は神奈川であり、条件を満たしているので（Ｓ１２５：ＹＥＳ）、このレコードの詳細情報項目３６５の内容を配信情報に追加して記憶する（Ｓ１２７）。ここでは、情報６が記憶される。そして、Ｓ１２１に戻る。
【００６３】
４回目の処理では、次行のレコードには広告位置に記憶された情報がないので読み出しが行えず（Ｓ１２１）、広告位置項目の終わりとなったので（Ｓ１２３：ＹＥＳ）、広告情報データベース３６をクローズし（Ｓ１２９）、図１０のメインルーチンに戻る。以上の処理により、この例では携帯電話機２に送信すべき配信情報として、情報１，情報２，情報４，情報６が用意されたことになる。
【００６４】
次に、図１３を参照して、図１０のＳ７１で行う履歴情報加工処理について説明する。本実施形態では、履歴情報の加工処理としていくつかのメニューが用意されている形態を想定しているが、履歴情報データベース３８は周知のデータベースの構成であるから、これに限られるものではなく、自由に加工することができる。
【００６５】
まず、広告ＩＤ毎のアクセス数計数メニューが選択されたか否かを判断する（Ｓ１４１）。広告ＩＤ毎アクセス数計数であれば（Ｓ１４１：ＹＥＳ）、広告ＩＤ番号を順に指定してアクセス数のカウント処理を実行する。具体的には、履歴情報データベース３８の広告ＩＤ番号項目３８３が指定広告ＩＤ番号に一致するレコードについての数を数えることによりアクセス数をカウントする（Ｓ１４３）。そして、全広告ＩＤ番号についてカウント処理が終了したか否かを判断する（Ｓ１４５）。全広告ＩＤについて終了したら（Ｓ１４５：ＹＥＳ）、加工結果を表示して（Ｓ１６１）、履歴情報加工処理を終了し、図１０のメインルーチンにリターンする。まだ終了していなければ（Ｓ１４５：ＮＯ）、Ｓ１４３に戻り、次の指定広告ＩＤ番号についてアクセス数のカウント処理を行なう。
【００６６】
一方、広告ＩＤ毎のアクセス数計数でなければ（Ｓ１４１：ＮＯ）、配信情報毎のアクセス数計数メニューが選択されたか否かを判断する（Ｓ１４７）。配信情報毎アクセス数計数であれば（Ｓ１４７：ＹＥＳ）、配信情報を順に指定してアクセス数のカウント処理を実行する。具体的には、履歴情報データベース３８の配信情報項目３８４が指定配信情報に一致するレコードについての数を数えることによりアクセス数をカウントする（Ｓ１４９）。そして、全配信情報についてカウント処理が終了したか否かを判断する（Ｓ１５１）。全配信情報について終了したら（Ｓ１５１：ＹＥＳ）、加工結果を表示して（Ｓ１６１）、履歴情報加工処理を終了し、図１０のメインルーチンにリターンする。まだ終了していなければ（Ｓ１５１：ＮＯ）、Ｓ１４９に戻り、次の配信情報についてアクセス数のカウント処理を行なう。
【００６７】
また、配信情報毎のアクセス数計数でなければ（Ｓ１４７：ＮＯ）、広告場所ごとのアクセス数対比メニューか否かを判断する（Ｓ１５３）。場所毎のアクセス数対比であれば（Ｓ１５３：ＹＥＳ）、位置情報データベース３２とつき合わせることにより、抽出したい路線にある場所ＩＤを有するレコードを抽出する（Ｓ１５５）。そして、その場所ＩＤに対するアクセス数の合計を求める（Ｓ１５７）。その後、加工結果を表示して（Ｓ１６１）、履歴情報加工処理を終了し、図１０のメインルーチンにリターンする。
【００６８】
場所毎のアクセス数対比でなければ（Ｓ１５３：ＮＯ）、ユーザに指定されたその他の指定の処理を実行し（Ｓ１５９）、加工結果を表示して（Ｓ１６１）、履歴情報加工処理を終了し、図１０のメインルーチンに戻る。その他の処理としては、例えば、時間帯によるアクセス数のカウント、同一コンテンツについての場所ＩＤ毎のアクセス回数やアクセス時刻から広告場所の価値を比較する、等の処理が考えられる。
【００６９】
以上説明したように、本実施の形態の広告情報管理システム１によれば、広告３に付された場所識別子９及び広告枠１３に付された広告識別子１０を携帯電話機２から入力し、これに対応する情報を記憶した広告情報管理サーバ６に要求し、必要な情報を取り出してその場で閲覧したり、商品を購入したりする消費行動が可能である。そして、このような広告情報を要求した履歴は広告情報管理サーバ６に記憶され、広告主がその履歴情報を自由に加工して広告効果を測り、次の商品の開発や次回の広告の参考にすることができる。
【００７０】
尚、上記実施の形態において、図８のフローチャートのＳ１１において場所ＩＤと広告ＩＤを送信する携帯電話機２のＣＰＵ１０１が本発明の広告情報配信要求手段として機能する。また、図８のフローチャートのＳ１７において配信情報受信処理を実行する携帯電話機２のＣＰＵ１０１が本発明の配信情報受信手段として機能する。また、図１０のフローチャートのＳ５７で場所ＩＤと広告ＩＤとを受信する広告情報管理サーバ６のＣＰＵ２０が本発明の端末要求受信手段として機能する。また、図１０のフローチャートのＳ５９及び図１１で位置情報検索処理を実行する広告情報管理サーバ６のＣＰＵ２０が本発明の広告位置情報抽出手段として機能する。また、図１０のフローチャートのＳ６１及び図１２で配信情報抽出処理を実行する広告情報管理サーバ６のＣＰＵ２０が本発明の配信情報抽出手段として機能する。また、図１０のフローチャートのＳ７１及び図１３において履歴情報加工処理を実行する広告情報管理サーバ６のＣＰＵ２０が本発明の履歴情報加工手段として機能する。
【００７１】
次に、本発明を適用した第二の実施の形態について、図１４〜図１９を参照して説明する。まず、第二の実施の形態の構成について、図１４及び図１５を参照して説明する。図１４は、第二の実施の形態の広告情報管理システム１の構成図である。図１５は、広告情報管理システム１を構成する携帯電話機２及びＲＦＩＤタグ１９の外観図である。以下において、第一の実施の形態と共通の構成については、同一の符号を付し、説明を省略する。
【００７２】
図１４に示すように、広告情報管理システム１は、広告３の広告枠１３に貼付された無線タグとしてのＲＦＩＤタグ１９と、個々の広告３に付された広告識別子１０と、ＲＦＩＤタグを読み取る読取手段としてのＲＦＩＤリーダを備え、広告識別子１０を入力する入力手段を備えた情報端末である携帯電話機２と、携帯電話機２と基地局７を介してネットワーク８で接続された広告情報管理サーバ６とから構成されている。
【００７３】
広告枠１３に付されたＲＦＩＤタグ１９には、広告枠１３を識別する場所ＩＤを含むＲＦＩＤタグ１９を特定する情報が記憶されている。ＲＦＩＤタグ１９に格納されている情報はＲＦＩＤタグリーダ６０によって読取り可能となっている。尚、広告３は、つり下げられる形状に限らず、車両の壁面やドアに貼られているものであってもよいし、駅の構内や街頭に掲示されているものでもよい。また、ＲＦＩＤタグ１９を、広告枠１３でなく、個々の広告３に貼付し、広告枠には場所識別子９を付すようにしてもよい。
【００７４】
図１５に示すように、携帯電話機２には、オプションユニットとしてＲＦＩＤタグリーダ６０が具備されている。ＲＦＩＤタグリーダ６０は、利用者の指示により、若しくは自動的にスキャン電波を発信し、近傍にＲＦＩＤタグが存在する場合には、当該ＲＦＩＤタグから情報を読み取るものである。
【００７５】
ＲＦＩＤタグリーダ６０は、ＲＦＩＤタグ１９との通信を仲介するＲＦＩＤタグリーダ用アンテナ６１と、ＲＦＩＤタグ１９との間で送受信するデータを処理する本体であるＲＦＩＤタグリーダユニット６２とから構成されている。
【００７６】
また、図１５に示すように、ＲＦＩＤタグ１９はいわゆるタグ型形状をしている。ＲＦＩＤタグ１９は形状や特性が多様に存在しており、例えば、ラベル形、カード形、コイン形等が存在する。これらの形状はそのＲＦＩＤタグの使用用途によっても異なり、例えば人が持つものは、カード形あるいはラベル形をキーホルダ形状に加工したものが用いられることが多い。また、その大きさも数ｍｍ単位のものから数ｃｍ程度ものまで、各種のサイズのものが存在する。本発明の広告情報管理システムにおいて使用されるＲＦＩＤタグ１９は、その形状やサイズは広告主や設計者の任意で自由に設定できるが、少なくとも広告枠１３や広告３に等若しくはその近傍貼付できる小型サイズのものであればよい。
【００７７】
なお、ＲＦＩＤタグ１９の通信距離は、１ｍｍ程度のものから５ｍ程度のものまで存在し、システムの用途に最適なものが使用される。本発明の広告情報管理システムにおいて使用されるＲＦＩＤタグ１９は、その通信距離においても広告主や設計者の任意で自由に設定すればよいが、少なくとも広告を見ているユーザの携帯電話機２の所持位置から、ＲＦＩＤタグ１９が付された広告３が掲げられている位置まで通信可能であればよい。
【００７８】
次に、図１６及び図１７を参照して、ＲＦＩＤタグリーダ６０及びＲＦＩＤタグ１９の電気的構成について説明する。図１６は、ＲＦＩＤタグリーダ６０の電気的構成を示すブロック図である。図１７は、ＲＦＩＤタグ１９の電気的構成を示すブロック図である。
【００７９】
図１６に示すように、ＲＦＩＤタグリーダ６０は、ＲＦＩＤタグリーダ６０の全体の駆動を制御するための制御回路２０１と、ＲＦＩＤタグ１９へ送信する信号やＲＦＩＤタグ１９より受信する信号に関する処理を行う信号処理回路２０２とを備えている。制御回路２０１及び信号処理回路２０２は、携帯電話機２の拡張Ｉ／Ｏインタフェイス１０９（図３参照）と有効に接続されて、携帯電話機２と各種データの授受が可能に構成されている。そして、ＲＦＩＤタグ１９からのタグ情報の読取り時には、ＲＦＩＤタグリーダ６０が読取ったタグ情報が携帯電話機２へ伝達されて、携帯電話機２にてタグ情報の表示及び選択等が可能となっている。また、ＲＦＩＤタグリーダ６０に電力を供給する電源２５０を備える。
【００８０】
詳細には、ＲＦＩＤタグリーダ６０は、ＲＦＩＤタグ１９に対して信号を送信する送信部２１０と、そのＲＦＩＤタグ１９からの反射波を受信する受信部２１２とから成り、その送信部２１０は、ＲＦＩＤタグ１９に情報を書込むための搬送波を発生させる搬送波発生部２１４と、信号処理回路２０２から供給される信号に基づいて搬送波発生部２１４により発生させられた搬送波を変調する搬送波変調部２２０と、その搬送波変調部２２０により変調された変調波を増幅する変調波増幅部として機能する送信アンプ２２２とを、備えて構成されている。搬送波発生部２１４により発生させられる搬送波は、好適には、ＵＨＦ帯の信号が使用される。送信アンプ２２２の出力は、送受分離器２２４を介してＲＦＩＤタグリーダ用アンテナ６１から出力されて、送信信号としてＲＦＩＤタグ１９に送信される。
【００８１】
一方、ＲＦＩＤタグリーダ用アンテナ６１により受信されたＲＦＩＤタグ１９からの反射波は、送受分離器２２４を介して受信部２１２に入力されて、反射波を増幅する反射波増幅部として機能する受信アンプ２２１に入力される。その受信部２１２は、ＲＦＩＤタグリーダ用アンテナ６１により受信されたＲＦＩＤタグ１９からの反射波と搬送波発生部２１４により発生させられた搬送波とを掛け合わせる第１ミキサ２２６と、その第１ミキサ２２６の出力から必要な帯域の信号のみを取り出すための第１バンドパスフィルタ２２７と、その第１バンドパスフィルタ２２７の出力を増幅して第１リミッタ２３０に供給する第１アンプ２２８とを備えている。
【００８２】
また、搬送波発生部２１４により発生させられた搬送波の位相を９０°ずらす位相変換器２４０を備え、位相変換器２４０により位相がずらされた搬送波とＲＦＩＤタグリーダ用アンテナ６１により受信されたＲＦＩＤタグ１９の反射波とを掛け合わせる第２ミキサ２３２と、その第２ミキサ２３２から必要な帯域の信号のみを取り出すための第２バンドパスフィルタ２３３と、その第２バンドパスフィルタ２３３の出力を増幅して第２リミッタ２３６に供給する第２アンプ２３４とを備えている。
【００８３】
第１リミッタ２３０から出力される信号及び第２リミッタ２３６から出力される信号は、信号処理回路２０２に入力されて処理される。また、第１アンプ２２８及び第２アンプ２３４からの出力信号はＲＳＳＩ（Received Signal Strength Indicator）２３８にも入力され、それらの信号の強度を示す信号ＲＳＳＩが信号処理回路２０２に入力されるようになっている。すなわち、本発明におけるＲＦＩＤタグリーダ６０では、いわゆるＩ−Ｑ直交復調によりＲＦＩＤタグ１９からの反射波の復調が行われて、ＲＦＩＤタグ１９からのタグ情報を取得する。
【００８４】
このような構成によって、ＲＦＩＤタグリーダ６０は、ＲＦＩＤタグ１９と無線通信を行って、ＲＦＩＤタグ１９への各種情報の書込みまたはＲＦＩＤタグ１９からのタグ情報の読取りを行うものであるが、本発明におけるＲＦＩＤタグリーダ６０は、少なくともＲＦＩＤタグ１９からのタグ情報の読取り機能があればよい。すなわち、本発明におけるＲＦＩＤタグリーダ６０は、制御回路２０１及び信号処理回路２０２により一定間隔で供給される所定の問い合わせ信号に基づいて搬送波を送出し、ＲＦＩＤタグ１９から返送される反射波を信号処理回路２０２にて復調して、ＲＦＩＤタグ１９からのタグ情報を取得できればよい。
【００８５】
また、図１７に示すように、ＲＦＩＤタグ１９は、ＲＦＩＤタグリーダ６０のＲＦＩＤタグリーダ用アンテナ６１と静電結合して通信を行うアンテナ部３０１と、そのアンテナ部３０１により受信された搬送波を整流する整流部３０２と、その整流部３０２により整流された搬送波のエネルギを蓄積するための電源部３０３と、アンテナ部３０１により受信された搬送波からクロック信号を抽出して制御部３０７に供給するクロック抽出部３０４と、所定の情報信号を記憶し得る情報記憶部として機能するメモリ部３０５と、アンテナ部３０１に接続された変復調部３０６と、整流部３０２、クロック抽出部３０４、及び変復調部３０６等を介してＲＦＩＤタグ１９の作動を制御するための制御部３０７とを、備えて構成されている。この制御部３０７は、ＲＦＩＤタグリーダ６０と通信を行うことにより上記メモリ部３０５に所定の情報を記憶する制御や、アンテナ部３０１により受信された搬送波を変復調部３０６においてメモリ部３０５に記憶された情報信号に基づいて変調したうえで反射波としてアンテナ部３０１から反射返信する制御等の基本的な制御を実行する。すなわち、本発明におけるＲＦＩＤタグ１９は、ＲＦＩＤタグリーダ６０から一定間隔で送信される問い合わせの搬送波を受信したら、メモリ部３０５に記憶するタグ情報を反射波としてアンテナ部３０１から反射返信する。
【００８６】
次に、図１８及び図１９を参照して、本実施形態における携帯電話機２の動作について説明する。図１８は、携帯電話機２における広告情報取得に関するメインルーチンのフローチャートである。図１９は、携帯電話機２のＬＣＤ５３に表示されるＩＤ表示及び入力画面の一例を示す図である。なお、以下のフローチャートにおいて、第一の実施の形態と同一のステップについては、同一のステップ番号を付し、詳細な説明は省略する。また、本実施形態において、広告情報管理サーバ６の動作は第一の実施形態と同様であるので、説明を省略する。
【００８７】
図１８に示すように、携帯電話機２において、まず、識別子(ＩＤ)の読み取りが操作者により指示されたか否かを判断する（Ｓ１７１）。ＩＤの読み取りでなければ（Ｓ１７１：ＮＯ）、携帯電話機２の他の処理を実行し（Ｓ３）、処理を終了する。ＩＤの読み取りの場合は（Ｓ１７１：ＹＥＳ）、広告３の近傍にて、ＲＦＩＤタグ１９から情報を読み取るために、スキャン電波を送信する（Ｓ１７５）。そして、ＲＦＩＤタグ１９から応答があったか否かを判断する（Ｓ１７７）。応答がない場合には（Ｓ１７７：ＮＯ）、所定の時間を経過してタイムアウトになったか否かをさらに判断し（Ｓ１７９）、タイムアウトでなければ（Ｓ１７９：ＮＯ）、Ｓ１７７に戻って再び応答がないか否かを判断する。タイムアウトの場合には（Ｓ１７９：ＹＥＳ）、Ｓ１７５に戻って再度スキャン電波を送信する。
【００８８】
ＲＦＩＤタグ１９から応答があった場合には（Ｓ１７７：ＹＥＳ）、応答電波を受信する（Ｓ１８１）。そして、受信した応答電波から場所ＩＤ情報を分離し（Ｓ１８３）、ＲＡＭ１０３に一旦格納して（Ｓ１８５）、図１９に示すように、ＬＣＤ５３に場所ＩＤを表示し、目的の広告３に付されている広告識別子１０を広告ＩＤの欄に入力するように促す（Ｓ１８７）。そして、入力が完了したかを判断し（Ｓ７）、完了していなければ（Ｓ７：ＮＯ）、Ｓ１８７に戻って引き続き入力を受け付ける。入力が完了したら（Ｓ７：ＹＥＳ）、広告情報管理サーバ６に接続する（Ｓ９）。そして、広告情報管理サーバ６に対して読み取った場所ＩＤ情報と入力された広告ＩＤ情報とを送信する（Ｓ１１）。これが、広告情報管理サーバ６に対する詳細情報の配信要求となる。
【００８９】
次に、広告情報管理サーバ６から応答があったか否かを判断する（Ｓ１３）。応答がない場合には（Ｓ１３：ＮＯ）、所定の時間を経過してタイムアウトになったか否かをさらに判断し（Ｓ１５）、タイムアウトでなければ（Ｓ１５：ＮＯ）、Ｓ１３に戻って再び応答がないか否かを判断する。タイムアウトの場合には（Ｓ１５：ＹＥＳ）、Ｓ１１に戻って再び広告情報管理サーバ６に場所ＩＤ情報と広告ＩＤ情報とを送信する。
【００９０】
広告情報管理サーバ６から応答があった場合には（Ｓ１３：ＹＥＳ）、広告情報管理サーバ６が広告情報データベース３６から検索して送信してくる配信情報を受信する（Ｓ１７）。そして、受信した配信情報をＲＡＭ１０３に格納する（Ｓ１９）。次に、受信し格納した配信情報をＬＣＤ５３に表示する（Ｓ２１）。以上で詳細情報の取得処理が終了したので、携帯電話機２のメインルーチンを終了する。
【００９１】
以上説明したように、本実施の形態の広告情報管理システム１によれば、広告枠１３に付されたＲＦＩＤタグ１９を携帯電話機２から読み取るとともに、広告識別子１０を携帯電話機２から入力し、これに対応する情報を記憶した広告情報管理サーバ６に要求し、必要な情報を取り出してその場で閲覧したり、商品を購入したりする消費行動が可能である。そして、このような広告情報を要求した履歴は広告情報管理サーバ６に記憶され、広告主がその履歴情報を自由に加工して広告効果を測り、次の商品の開発や次回の広告の参考にすることができる。本実施形態では、識別子の一方である場所識別子が無線タグであるＲＦＩＤタグで構成されているので、入力の手間が省け、利用者が簡単に詳細情報を入手できる。
【００９２】
次に、本発明を適用した第三の実施の形態について、図２０〜図２３を参照して説明する。本実施形態では、広告情報管理サーバ６と接続された管理端末５を設け、この管理端末５から広告情報管理サーバ６に履歴情報の送信を要求し、受信した履歴情報を管理端末で加工するように構成されている。まず、第三の実施の形態の構成について、図２０及び図２１を参照して説明する。図２０は、第三の実施の形態の広告情報管理システム１の構成図である。図２１は、管理端末５の電気的構成を示すブロック図である。以下において、第一の実施の形態と共通の構成については、同一の符号を付し、説明を省略する。
【００９３】
図２０に示すように、本実施形態の広告情報管理システム１は、広告３近傍に付された場所識別子９と、個々の広告３に付された広告識別子１０と、これらの識別子を入力する入力手段を備えた情報端末である携帯電話機２と、携帯電話機２と基地局７を介してネットワーク８で接続された広告情報管理サーバ６、ネットワーク８を介して広告情報管理サーバ６に接続された管理端末５とから構成されている。なお、第二の実施形態で述べたように、場所識別子９又は広告識別子１０の一方をＲＦＩＤタグで構成してもよい。
【００９４】
図２１に示すように、管理端末５は、周知のパーソナルコンピュータにより構成されている。管理端末５には、管理端末５の制御を司るＣＰＵ５２０が設けられ、ＣＰＵ５２０には、ＢＩＯＳ等を記憶したＲＯＭ５２１と、各種のデータを一時的に記憶するＲＡＭ５２２と、データの受け渡しの仲介を行うＩ／Ｏインタフェイス５４０とが接続されている。Ｉ／Ｏインタフェイス５４０には、ネットワーク８を介して広告情報管理サーバ６と接続するための通信制御を行う通信制御インタフェイス５４１が接続されている。また、Ｉ／Ｏインタフェイス５４０には、文字その他を表示するディスプレイ５２４を制御するビデオコントローラ５２３と、入力装置であるキーボード５２６を制御するキーコントローラ５２５と、ＣＤ−ＲＯＭ５２９を読み込むためのＣＤ−ＲＯＭドライブ５２８と、ＣＰＵ５２０で実行されるプログラムや各種のデータを記憶したハードディスク装置５３０とが接続されている。
【００９５】
次に、図２２及び図２３を参照して、本実施形態における広告情報管理システム１の動作について説明する。図２２は、広告情報管理サーバ６が実行する履歴情報送信処理のフローチャートである。図２３は、管理端末５のフローチャートである。本実施形態において、携帯電話機２の動作及び広告情報管理サーバ６の他の動作は第一の実施形態と同様であるので、説明を省略する。
【００９６】
図２２に示すように、履歴情報送信処理において、広告情報管理サーバ６では、まず、管理端末５から接続要求があったか否かを判断する（Ｓ２０１）。接続要求がない場合には（Ｓ２０１：ＮＯ）、接続要求がされるまでＳ２０１を繰り返して待機する。接続要求があった場合には（Ｓ２０１：ＹＥＳ）、管理端末５から履歴情報要求を受信する（Ｓ２０２）。ここで受信する履歴情報要求には、要求される履歴情報の抽出条件、例えば、アクセス日時の期間、場所の指定等、が含まれるので、次に、この条件に沿った履歴情報を履歴情報データベース３８から抽出する（Ｓ２０３）。履歴情報データベース３８は、周知のデータベースの構成であるから、周知の方法で所望のデータを抽出できる。次に、Ｓ２０３で抽出された履歴情報を管理端末５に送信する（Ｓ２０５）。そして、管理端末５との回線を切断し（Ｓ２０７）、処理を終了する。
【００９７】
また、図２３に示すように、管理端末５においては、まず、広告情報管理サーバ６に履歴情報の送信を要求するか否かを判断する（Ｓ５４０）。履歴情報を要求しない場合には（Ｓ５４０：ＮＯ）、Ｓ５５７に進んで履歴情報の加工を行うか否かを判断する。履歴情報を要求する場合には（Ｓ５４０：ＹＥＳ）、広告情報管理サーバ６に回線接続要求を発信する（Ｓ５４１）。そして、サーバから応答があったか否かを判断する（Ｓ５４３）。応答がない場合には（Ｓ５４３：ＮＯ）、所定の時間を経過してタイムアウトになったか否かをさらに判断し（Ｓ５４５）、タイムアウトでなければ（Ｓ５４５：ＮＯ）、Ｓ５４３に戻って再び応答がないか否かを判断する。タイムアウトの場合には（Ｓ５４５：ＹＥＳ）、Ｓ５４１に戻って再度広告情報管理サーバ６に回線接続要求を発信する。
【００９８】
広告情報管理サーバ６から応答があった場合には（Ｓ５４３：ＹＥＳ）、広告情報管理サーバ６に履歴情報の送信を要求する（Ｓ５４７）。ここでは、広告情報管理サーバ６に対して、履歴情報データベース３８に記憶されているすべての履歴情報を送信するように要求してもよいし、各種の条件（アクセス期間の指定、広告３の場所の指定、広告コンテンツの指定等）を送信してフィルタリングされた履歴情報を送信するように要求してもよい。
【００９９】
次に、サーバから応答があったか否かを判断する（Ｓ５４９）。応答がない場合には（Ｓ５４９：ＮＯ）、所定の時間を経過してタイムアウトになったか否かをさらに判断し（Ｓ５５１）、タイムアウトでなければ（Ｓ５５１：ＮＯ）、Ｓ５４９に戻って再び応答がないか否かを判断する。タイムアウトの場合には（Ｓ５５１：ＹＥＳ）、Ｓ５４７に戻って再度広告情報管理サーバ６に履歴情報の送信を要求する。
【０１００】
広告情報管理サーバ６から応答があった場合には（Ｓ５４９：ＹＥＳ）、広告情報管理サーバ６が履歴情報データベース３８から検索して送信してくる履歴情報を受信する（Ｓ５５３）。そして、受信した履歴情報をＲＡＭ５２２又はハードディスク装置５３０に格納する（Ｓ５５５）。次に、受信し格納した履歴情報を加工するか否かを判断する（Ｓ５５７）。履歴情報を要求しない場合も（Ｓ５４０：ＮＯ）同様である。履歴情報を要求せずに加工のみ行なう場合は、以前に受信してハードディスク装置５３０に保存されている履歴情報を加工することになる。
【０１０１】
履歴情報を加工する場合には（Ｓ５５７：ＹＥＳ）、履歴情報加工処理に進む（Ｓ５５９）。履歴情報加工処理の詳細は、前述した実施の形態で広告情報管理サーバ６において履歴情報加工処理を実行する場合と同様である（図１３）ので、説明を省略する。履歴情報の加工を行なわない場合には（Ｓ５５７：ＮＯ）、全体の処理を終了する。
【０１０２】
以上説明したように、本実施の形態の広告情報管理システム１によれば、第一及び第二の実施形態と同様に、広告３に対応して付された場所識別子９及び広告識別子１０を携帯電話機２から入力し、これに対応する情報を記憶した広告情報管理サーバ６に要求し、必要な情報を取り出してその場で閲覧したり、商品を購入したりする消費行動が可能である。そして、このような広告情報を要求した履歴は広告情報管理サーバ６に記憶される。さらに、広告主の側では、管理端末５を用いて広告情報管理サーバ６から必要な履歴情報を受信し、自由に加工して広告効果を測り、次の商品の開発や次回の広告の参考にすることができる。
【０１０３】
尚、上記変形例において、図２２のフローチャートの履歴情報送信処理を実行する広告情報管理サーバ６のＣＰＵ２０が本発明の履歴情報送信手段として機能する。また、図２３のＳ５４７で広告情報管理サーバ６に履歴情報の送信を要求する管理端末５のＣＰＵ５２０が本発明の履歴情報要求手段として、Ｓ５５３で履歴情報を受信する管理端末５のＣＰＵ５２０が本発明の履歴情報受信手段として機能する。さらに、図３０のＳ５５９で履歴情報加工処理を実行する管理端末５のＣＰＵ５２０が本発明の履歴情報加工手段として機能する。
【図面の簡単な説明】
【０１０４】
【図１】第一の実施の形態の広告情報管理システム１の全体概念図である。
【図２】広告情報管理システム１を構成する携帯電話機２の外観図である。
【図３】携帯電話機２の電気的構成を示すブロック図である。
【図４】広告情報管理サーバ６の電気的構成を示すブロック図である。
【図５】位置情報データベース３２のデータ構成の概念図である。
【図６】広告情報データベース３６のデータ構成の概念図である。
【図７】履歴情報データベース３８のデータ構成の概念図である。
【図８】携帯電話機２における広告情報取得に関するメインルーチンのフローチャートである。
【図９】携帯電話機２のＬＣＤ５３に表示されるＩＤ入力画面の一例を示す図である。
【図１０】広告情報管理サーバ６の配信情報提供処理のメインルーチンのフローチャートである。
【図１１】図１０のＳ５９で行なう位置情報検索処理のサブルーチンのフローチャートである。
【図１２】図１０のＳ６１で行なう配信情報抽出処理のサブルーチンのフローチャートである。
【図１３】図１０のＳ７１で行なう履歴情報加工処理のサブルーチンのフローチャートである。
【図１４】第二の実施の形態の広告情報管理システム１の構成図である。
【図１５】広告情報管理システム１を構成する携帯電話機２及びＲＦＩＤタグ１９の外観図である。
【図１６】ＲＦＩＤタグリーダ６０の電気的構成を示すブロック図である。
【図１７】ＲＦＩＤタグ１９の電気的構成を示すブロック図である。
【図１８】携帯電話機２における広告情報取得に関するメインルーチンのフローチャートである。
【図１９】携帯電話機２のＬＣＤ５３に表示されるＩＤ表示及び入力画面の一例を示す図である。
【図２０】第三の実施の形態の広告情報管理システム１の構成図である。
【図２１】管理端末５の電気的構成を示すブロック図である。
【図２２】広告情報管理サーバ６が実行する履歴情報送信処理のフローチャートである。
【図２３】管理端末５のフローチャートである。
【符号の説明】
【０１０５】
１      広告情報管理システム
２      携帯電話機
３      広告
５      管理端末
６      広告情報管理サーバ
８      ネットワーク
９      場所識別子
１０      広告識別子
２０      ＣＰＵ
２２      ＲＡＭ
３０      ハードディスク装置
３２      位置情報データベース
３６      広告情報データベース
３８      履歴情報データベース
５３      ＬＣＤ
５４      キー
６０      タグリーダ
１０１      ＣＰＵ
１０２      ＲＯＭ
１０３      ＲＡＭ
２１０      送信部
２１２      受信部
５２０      ＣＰＵ
５２２      ＲＡＭ
【図１】
2005215948.tif 000003
【図２】
2005215948.tif 000004
【図３】
2005215948.tif 000005
【図４】
2005215948.tif 000006
【図５】
2005215948.tif 000007
【図６】
2005215948.tif 000008
【図７】
2005215948.tif 000009
【図８】
2005215948.tif 000010
【図９】
2005215948.tif 000011
【図１０】
2005215948.tif 000012
【図１１】
2005215948.tif 000013
【図１２】
2005215948.tif 000014
【図１３】
2005215948.tif 000015
【図１４】
2005215948.tif 000016
【図１５】
2005215948.tif 000017
【図１６】
2005215948.tif 000018
【図１７】
2005215948.tif 000019
【図１８】
2005215948.tif 000020
【図１９】
2005215948.tif 000021
【図２０】
2005215948.tif 000022
【図２１】
2005215948.tif 000023
【図２２】
2005215948.tif 000024
【図２３】
2005215948.tif 000025